(57)【特許請求の範囲】
【請求項１】
基板に設けられている開口を開閉する閉鎖羽根を駆動する閉鎖レバーと、前記開口を開閉する開放羽根を駆動する開放レバーと、前記閉鎖レバーと前記開放レバーとを所定位置にセットするセットレバーとを備え、
前記閉鎖レバーは第１閉鎖レバーと第２閉鎖レバーとからなり、
前記第２閉鎖レバーは前記第１閉鎖レバーとともに同軸に揺動自在に支持され、かつ前記第１閉鎖レバーに追従可能であり、
前記第２閉鎖レバーの先端部に前記閉鎖羽根を駆動する駆動部が設けてあり、
前記基板には、前記第２閉鎖レバーが前記閉鎖羽根を前記開口から退避させた位置にあるときに、前記基板の板厚方向への前記第２閉鎖レバーの変位を規制する規制部が設けてある
ことを特徴とするフォーカルプレーンシャッタ。
【請求項２】
請求項１において、前記規制部は、前記基板に一体的に形成されていることを特徴とするフォーカルプレーンシャッタ。
【発明の詳細な説明】
【０００１】
【発明の属する技術分野】
本発明はカメラ用シャッタに関し、さらに詳しくは露出制御手段の開放動作を開放羽根（先幕）、及び閉鎖動作を閉鎖羽根（後幕）によって行うものに関するものである。
【０００２】
【従来の技術】
開放羽根と閉鎖羽根により露出制御を行うシャッタは、それぞれの開放動作及び閉鎖動作を行うための開放レバー及び閉鎖レバーの駆動力を電磁石により吸着保持し、電磁石の電流をオフすることにより開放動作及び閉鎖動作を行い、開放電磁石と閉鎖電磁石のオフするタイミングを変えることにより露出制御を行っている。
【０００３】
二重遮光形式のフォーカルプレーンシャッタの場合、初期状態では閉鎖羽根及び開放羽根の双方がシャッタ開口を閉じており、レリーズ動作によりまず閉鎖羽がシャッタ開口から退避し、その後、開放羽根が退避してシャッタ開口を開いて露光し、所定時間経過後に閉鎖羽根を広げてシャッタ開口を閉じて露光終了し、更にリセット動作により開放羽根を閉じて初期状態に戻るようになっている。
【０００４】
従来の具体的な構成を図６及び図７に示すと、基板１に開口１０が設けられている。基板１上の軸１ａには、セットレバー３０が揺動自在に嵌合しており、セットレバー３０の突部３０ａは、後述の第１閉鎖レバー２１を初期位置にセットするためのものであり、突部３０bは、後述の開放レバー２３を初期位置にセットするためのである。基板１に立設した軸１ｂには、第１閉鎖レバー２１と第２閉鎖レバー２２の中心軸部２１ａと２２ａがそれぞれ揺動自在に嵌合している。第１閉鎖レバー２１は不図示の閉鎖ばねにより時計回り（以下、「右旋」という。）方向に付勢されている。そして、ばね４１がアーム４０ａを介して第２閉鎖レバー２２が反時計回り（以下、「左旋」という。）に付勢されている。
【０００５】
また第１閉鎖レバー２１に、半円柱状のピン２１ｂを突設しており、ピン２１ｂに第２閉鎖レバー２２の側面が当接することにより、第２閉鎖レバー２２を第１閉鎖レバー２１に追従可能にしている。同様に基板１上の軸１ｃには開放レバー２３の中心軸部２３ａが揺動自在に嵌合しており、不図示の開放ばねにより右旋方向に付勢されている。第２閉鎖レバー２２と開放レバー２３のそれぞれの先端に設けられた駆動ピン２２ｂ、２３ｂは、基板１に設けられた円弧状の透孔１ｄ、１ｅを貫通して基板１の下方に突出し、駆動ピン２２ｂは、閉鎖羽根ユニットのアーム４０ａ，４０ｂのうちの主アーム４０ａに連結してあり、駆動ピン２３ｂは不図示の開放羽根ユニットの主アームに連結してある。主アーム４０ａは、ばね４１により左旋方向に付勢されている。また開放羽根ユニットの主アームは、不図示のばねにより右旋方向に付勢されている。
【０００６】
図６はセット完了状態を示しており、駆動ピン２２ｂは透孔１ｄの下端部に位置して閉鎖羽根により開口１０を閉じており、また駆動ピン２３ｂは透孔１ｅの上端部に位置して開放羽根を広げることにより開口１０を閉じている。この状態で、第１閉鎖レバー２１に設けた軟磁性板２１ｃは、基板１に固定されている閉鎖電磁石１１に吸着され、第２閉鎖レバー２２は不図示のロックレバーに係止されることにより、引張りばね４１の付勢力に抗して、透孔１ｄの下端部の前記位置に保持されている。また、開放レバー２３に設けた軟磁性板２３ｃは、基板１に固定されている開放電磁石１２に吸着されている。このように、閉鎖羽根及び開放羽根を広げることにより開口１０を閉じる前記セット完了状態に位置保持されている。
【０００７】
また、第１閉鎖レバー２１と第２閉鎖レバー２２とは、それぞれ異なった揺動運動をするので、相互間に摩擦力が影響し合うことは好ましくない。そこで、図７に示されているように、軸１ｂと中心軸部２１ａ，２２ａとの間にカラー２２ｃを設け、中心軸部２１ａと中心軸部２２ａとの間に座金２２ｄを介在させ、相互間に摩擦力が影響し合うことのないように構成している。主アーム４０ａの下方に羽根受板５が位置しており、不図示の開放羽根及び閉鎖羽根は、アームと羽根受板５との間に位置するものである。
【０００８】
【発明が解決しようとする課題】
このような従来の構成では、第１閉鎖レバー２１の中心軸部２１ａは、軸方向に長い範囲で軸１ｂに嵌合しているので、第１閉鎖レバー２１の先端（ピン２１ｂ等）が基板の板厚方向に変位することは殆どない。これに対して、第２閉鎖レバー２２の中心軸部２２ａでは、軸方向の長さが短く、軸１ｂと中心軸部２２ａとの間には若干のクリアランスがあるために、第２閉鎖レバー２２の先端（駆動ピン２２ｂ等）は、軸１ｂから遠い程、基板の板厚方向の変位量が大きくなり、このために被駆動部材である閉鎖羽根ユニットを正しく駆動するのに好ましくない影響を与えるという問題がある。すなわち、撮影時の１コマ毎の駆動におけるバラツキや撮影時のカメラの姿勢の違いによる露光時間の誤差等が発生する。また、摩擦力が両レバーの相互間に影響し合うことを極力避けるために、カラー２２ｃ及び座金２２ｄを介在させているので、部品点数が増加し、組み立ても煩雑になるという問題点があった。
【０００９】
そこで本発明は、余分な部品を必要としないで組み立てを煩雑にすることなく、しかも第２閉鎖レバーの駆動部が基板の板厚方向に変位しない構成とし、被駆動部材である閉鎖羽根ユニットが正しい動作で駆動されるようにしたフォーカルプレーンシャッタを提供する。
【００１０】
【課題を解決するための手段】
本発明のフォーカルプレーンシャッタは、基板に設けられている開口を開閉する閉鎖羽根を駆動する閉鎖レバーと、前記開口を開閉する開放羽根を駆動する開放レバーと、前記閉鎖レバーと前記開放レバーとを所定位置にセットするセットレバーとを備えたフォーカルプレーンシャッタにおいて、前記閉鎖レバーは第１閉鎖レバーと第２閉鎖レバーとからなり、前記第２閉鎖レバーは前記第１閉鎖レバーとともに同軸に揺動自在に支持され、かつ前記第１閉鎖レバーに追従可能であり、前記第２閉鎖レバーの先端部に前記閉鎖羽根を駆動する駆動部が設けてあり、前記基板には、前記第２閉鎖レバーが前記閉鎖羽根を前記開口から退避させた位置にあるときに、前記基板の板厚方向への前記第２閉鎖レバーの変位を規制する規制部が設けてあることを特徴としている。基板に規制部を設けているので、第２閉鎖レバーの駆動部が基板の板厚方向に変位することが規制され、被駆動部材である閉鎖羽根ユニットを正しい動作で駆動することができる。
【００１１】
前記規制部は、前記基板に一体的に形成されていることが好ましく、部品点数が増加せず、組み立ての煩雑さがない。
【００１２】
【発明の実施の形態】
本発明の実施の一形態について図面を参照して説明する。図１は本発明のフォーカルプレーンシャッタの駆動部を拡大して示したものであり、駆動部により駆動される閉鎖羽根や開放羽根等の図示は省略してある。また、図６で説明した各要素と実質的に同一の部分については、同一の名称と符号を付しているので、説明を省略している。
【００１３】
図１は本発明の二重遮光形式のフォーカルプレーンシャッタにおけるセット完了状態を示している。第１閉鎖レバー２１は段付きの軸１ｂの小径部に中心軸部２１ａを嵌合させてあり、図６の場合と同様に左旋位置にあり、第１閉鎖レバー２１に設けた軟磁性板２１ｃは、閉鎖電磁石１１に吸着されている。第２閉鎖レバー２２は、段付きの軸１ｂの大径部に中心軸部２２ａを嵌合させてあり、軸１ｂを中心にして右旋方向に揺動した位置にある。第２閉鎖レバー２２は引張りばね４１のばね力により第１閉鎖レバー２１に対して左旋方向に付勢されているが、不図示のロックレバーに係止されているので、ばね力に抗して右旋位置にあり、透孔１ｄの図面下方側に保持されている。このために、第２閉鎖レバー２２の先端に設けてある駆動部（駆動ピン）２２ｂにより閉鎖羽根ユニットのアーム４０ａ，４０ｂを介して閉鎖羽根が羽根を広げる方向に駆動されて開口１０を閉じている。また開放レバー２３は軸１ｃを中心にして左旋位置にあり、その駆動ピン２３ｂにより開放羽根ユニットのアームを介して開放羽根が羽根を広げる方向に駆動されて開口１０を閉じている。開放レバー２３に設けた軟磁性板２３ｃは、開放電磁石１２に吸着されている。このように、図１に示すセット完了状態では、閉鎖羽根及び開放羽根はともに広がっていて開口１０を閉じた位置に保持されており、第１閉鎖レバー２１は左旋位置にあってばね力がチャージされている。
【００１４】
基板１には透孔１ｄの上端部の近傍に、基板１と一体的に規制部１ｆが形成してある。この規制部１ｆは、図２に示すように、基板１から立ち曲げて第２閉鎖レバー２２の駆動部２２ｂの上に延伸する形状に形成してある。このために第２閉鎖レバー２２が引張りばね４１のばね力により左旋方向に揺動した位置では、第２閉鎖レバー２２は規制部１ｆの下面に侵入した状態で位置するので、前記のように中心軸部２２ａが軸１ｂの軸方向に短い範囲でしか嵌合していなくても、先端の駆動部２２ｂは基板１の板厚方向に変位することはできず、常に適正位置にて停止する。また、軸１ｂは段付きの軸にしてあり、小径部に第１閉鎖レバー２１の中心軸部２１ａを嵌合し、大径部に第２閉鎖レバー２２の中心軸部２２ａを嵌合し、一方の揺動運動が他方に影響し合わない構成にしてある。
【００１５】
第２閉鎖レバー２２が引張りばね４１で引張られて第１閉鎖レバー２１と接近した時の両レバーの相対位置は、図３に示すように、第１閉鎖レバー２１の位置決めピン２１ｂと第２閉鎖レバー２２の側面とが当接することにより位置決めされるものである。即ち、第１閉鎖レバー２１に下方に突出形成された位置決めピン２１ｂは、半円柱状に形成してあり、この中心面に第２閉鎖レバー２２の側面が当接することで、相互の位置が決められている。
【００１６】
このような図１に示す二重遮光の状態のセット完了状態から、不図示のカメラのレリーズスイッチを押すと、図示していないモータによりセットレバー３０が左旋して図４の状態になる。セットレバー３０の左旋により、不図示のロックレバーによる第２閉鎖レバー２２の係止が外れるので、第２閉鎖レバー２２は引張りばね４１にチャージされているばね力により左旋する。この左旋により図３に示したように第２閉鎖レバー２２の側面が第１閉鎖レバー２１の位置決めピン２１ｂの中心面に当接して停止する。また、図２に示したように第２閉鎖レバー２２の先端の駆動部２２ｂは、規制部１ｆの下面に侵入し、基板１の板厚方向への変位が規制されている。このときの第１閉鎖レバー２１の位置は、軟磁性板２１ｃが閉鎖電磁石１１に吸着されたままであるので、図１の位置と変わらない。また開放レバー２３の位置も同様である。このために図４の状態では、閉鎖羽根は開口１０から退避して折りたたまれた状態となっており、開放羽根は広げられて開口１０を閉じた状態になっている。即ち、開放羽根のみによる一重遮光の状態であり、これは露光前状態であることを意味している。
【００１７】
図４の状態で開放電磁石１２への通電を停止すると、軟磁性板２３ｃに対する吸着力が消失し、開放レバー２３はばねの付勢力により右旋して、駆動ピン２３ｂが透孔１ｅの下端部へ移動し、この結果、開放羽根は開口１０から退避して折りたたまれた状態となる。図４の状態において既に閉鎖羽根が開口１０から退避して折りたたまれた状態になっていたことと合わせて、この状態では、開口１０が開いた露光状態であることを意味している。
【００１８】
閉鎖羽根と開放羽根の両者が折りたたまれて開口から退避するので、開口が完全に開き、所定の時間が経った後に、閉鎖電磁石１１の通電を停止する。このために軟磁性板２１ｃに対する吸着力が消失し、第１閉鎖レバー２１はばねの付勢力により右旋する。第２閉鎖レバー２２もピン２１ｂで係合しているので第１閉鎖レバー２１に押されて引張りばね４１のばね力に抗して右旋する。そこで駆動ピン２２ｂが透孔１ｄの下端部に移動するので、閉鎖羽根は広げられて開口１０を閉じた状態になる。閉鎖羽根を広げて開口１０を閉じることにより露光が終了し、１コマ分の撮影が終わる。この図５の状態は、閉鎖羽根により開口１０を閉じ、開放羽根はまだ開口１０から退避して折りたたまれたままの露光動作直後の状態であることを示している。
【００１９】
この後で、図１のセット完了位置に部材をセットするために、セットレバー３０が右旋を始める。このときセットレバー３０の突部３０ａが第１閉鎖レバー２１を左旋させ、突部３０ｂが開放レバー２３の突部２３ｄを押すことで開放レバー２３を左旋させる。この途中、不図示のロックレバーが回動されて第２閉鎖レバー２２に係合し、第２閉鎖レバー２２が引張りばね４１の付勢力により第１閉鎖レバー２１の左旋に追従することを阻止する。このようにして第１閉鎖レバー２１及び開放レバー２３が、セットレバー３０の右旋により左旋され、閉鎖及び開放電磁石１１，１２によりそれぞれ吸着されることにより、図１に示すセット完了状態に戻る。
【００２０】
なお、本実施例では、規制部１ｆが透孔１ｄの上端部の近傍にしか設けていないが、これは本発明が、露出作動において、開放羽根と閉鎖羽根とで形成するスリット幅が狭い場合の露出スタート領域で、姿勢差や１コマ毎の駆動におけるバラツキに対し特に有効であることから、露出スタート領域に規制部１ｆを設けてあるものである。しかしながら、第２駆動レバー２２の作動範囲全域に亘って規制部を設けてもかまわないものである。
【００２１】
また、本実施例では、引張りばねがアームにかけられていたが、引張りばねを第１閉鎖部材と第２閉鎖部材とにかけて第２閉鎖部材に左旋の付勢力がかかるように構成してもよい。
【００２２】
【発明の効果】
本発明は、基板に規制部を設けているので、第２閉鎖レバーの駆動部が基板の板厚方向に変位することが規制され、被駆動部材である閉鎖羽根ユニットを正しい動作で駆動することができ、１コマ毎の駆動におけるバラツキや姿勢差が生じにくい。また、規制部を基板に一体的に形成すると、部品点数が増加せず、組み立ての煩雑さを生じない。
【図面の簡単な説明】
【図１】本発明のフォーカルプレーンシャッタにおけるシャッタ駆動機構の初期状態を示す正面図である。
【図２】同、第２閉鎖レバーの規制部を説明する拡大断面図である。
【図３】同、第２閉鎖レバーの位置決めの構成を説明する拡大断面図である。
【図４】同、露光前の状態を示す正面図である。
【図５】同、露光動作直後の状態を示す正面図である。
【図６】従来のシャッタ駆動機構の初期状態を示す正面図である。
【図７】従来の閉鎖レバーの軸支部を説明する拡大断面図である。
【符号の説明】
１      基板
１ｆ    規制部
１０    開口
２１    第１閉鎖レバー
２２    第２閉鎖レバー
２２ｂ  第２閉鎖レバーの駆動部
２３    開放レバー
３０    セットレバー
【図１】
0004394294.tif 000002
【図２】
0004394294.tif 000003
【図３】
0004394294.tif 000004
【図４】
0004394294.tif 000005
【図５】
0004394294.tif 000006
【図６】
0004394294.tif 000007
【図７】
0004394294.tif 000008